(57)【要約】      （修正有）【課題】容積増大に起因する体感重量の増大を抑えることの可能な仕切り棒およびそれを備えた背負い鞄を提供する。【解決手段】背負い鞄は、一対の肩ベルトと、一対の肩ベルトと連結された本体部とを備える。本体部は、背面板と、一対の側面板、正面板および底面板によって収容空間１２Ａを形成する収容部と、収容空間を背面板１１側の空間および正面板１８側の空間に仕切る仕切り棒４０とを有する。各側面板は、開口部を有する。仕切り棒は、湾曲または屈曲する棒部４１と、棒部の両端に１つずつ着脱可能に連結された２つの留部４２とを有する。棒部および留部は、開口部を介して互いに連結されている。収容空間を仕切り棒によって２つの空間に分離したので、物品が、歩行時に、収容空間内で大きく揺れるのを抑え、体感重量の増大を抑えることができる。【選択図】図２
0003186155.tif 000002
【実用新案登録請求の範囲】
【請求項１】
湾曲または屈曲する棒部と、
前記棒部の両端に１つずつ着脱可能に連結される２つの留部と
を備えた
仕切り棒。
【請求項２】
前記留部は、前記棒部と前記留部とを、第１開口部を有するシート部材における前記第１開口部を介して互いに連結したときに、当該仕切り棒が前記シート部材から脱落するのを妨げる形状および大きさとなっている
請求項１に記載の仕切り棒。
【請求項３】
前記留部の横幅は、前記第１開口部の直径よりも大きくなっている
請求項２に記載の仕切り棒。
【請求項４】
前記棒部の両端は、それぞれ、前記棒部と前記留部とを、前記第１開口部を介して互いに連結したときに、当該棒部が前記第１開口部を介して前記シート部材から突出するのを妨げる形状および大きさとなっている
請求項１ないし請求項３のいずれか一項に記載の仕切り棒。
【請求項５】
前記棒部の両端の横幅は、前記第１開口部の直径よりも大きくなっている
請求項４に記載の仕切り棒。
【請求項６】
前記棒部の両端は、それぞれ、前記留部を嵌め込む第２開口部を有し、
前記留部は、前記第２開口部に嵌め込む第１凸部と、前記第１凸部を支持すると共に前記第１凸部の幅よりも広い幅の第１支持部とを有する
請求項２ないし請求項５のいずれか一項に記載の仕切り棒。
【請求項７】
前記留部は、前記棒部の端部を嵌め込む第３開口部または凹部を有し、
前記棒部の両端は、それぞれ、前記第３開口部または前記凹部に嵌め込む第２凸部と、前記第２凸部を支持すると共に前記第２凸部の幅よりも広い幅の第２支持部とを有する
請求項２ないし請求項５のいずれか一項に記載の仕切り棒。
【請求項８】
一対の肩ベルトと、
前記一対の肩ベルトと連結された本体部と
を備え、
前記本体部は、
背面板と、
一対の側面板、正面板および底面板を有し、前記背面板とともに収容空間を形成する収容部と、
前記収容空間を仕切る仕切り棒と
を有し、
前記仕切り棒は、
湾曲または屈曲する棒部と、
前記棒部の両端に１つずつ着脱可能に連結された２つの留部と
を有し、
各側面板は、開口部を有し、
前記棒部および前記留部は、前記開口部を介して互いに連結されている
背負い鞄。
【請求項９】
前記留部は、前記仕切り棒が前記側面板から脱落するのを妨げる構成となっている
請求項８に記載の背負い鞄。
【請求項１０】
前記棒部の両端は、それぞれ、当該棒部が前記開口部を介して前記側面板から突出するのを妨げる構成となっている
請求項８または請求項９に記載の背負い鞄。
【考案の詳細な説明】
【技術分野】
【０００１】
本開示は、仕切り棒およびそれを備えた背負い鞄に関する。
【背景技術】
【０００２】
低学年の学童にとっては、ランドセルの重さは、かなりの負担となっている。そのような負担を軽減するために、従来から、ランドセルには、軽量化や、荷重の分散化、重心位置の調整などの様々な工夫がなされている（例えば、特許文献１参照）。ところが、近年、それに逆行するかのような現象が散見されるようになってきた。具体的には、ランドセルが大容量化してきている。これは、従来から手提げ袋に入れていた物までも、ランドセルに収納させることで、学童に手荷物を持たせなくて済むことを謳う者が登場してきたことに依るところが大きい。
【先行技術文献】
【特許文献】
【０００３】
【特許文献１】特許３７４３９１０号
【考案の概要】
【考案が解決しようとする課題】
【０００４】
ランドセルの大容量化は、ランドセルの重量化を招くだけではない。ランドセルに収納された教材は、歩行時に、ランドセルの中で大きく揺れ、それに伴ってランドセルも大きく揺れる。ランドセルの大きな遥動は、ランドセルの実際の重量よりも遥かに大きな重量を学童に感じさせることになり、学童にとっては大きな負担となる。このような体に感じられる重量は、実際の重量と区別して、体感重量と称される。
【０００５】
ところが、上市されている大容量タイプのランドセルでは、体感重量が考慮されていない。それは、体感重量が学童の感覚に依るものであり、しかも、体感重量の計測方法が確立されていないからとも言える。体感重量は、様々な要因によって変化するものであるが、その要因の１つとして容積が挙げられる。大容量タイプのランドセルでは、容積が大きくなった分だけ体感重量が増大する。本出願人は、ランドセルを大容量化するのであれば、学童への負担をできる限り低減すべく、重量だけでなく、体感重量についても最大限に考慮すべきと考える。
【０００６】
なお、上記の問題は、ランドセル固有の問題ではなく、リュックサック等の背負い鞄において生じ得る問題である。
【０００７】
本開示はかかる問題点に鑑みてなされたもので、その目的は、容積増大に起因する体感重量の増大を抑えることの可能な仕切り棒およびそれを備えた背負い鞄を提供することにある。
【課題を解決するための手段】
【０００８】
本開示の仕切り棒は、湾曲または屈曲する棒部と、棒部の両端に１つずつ着脱可能に連結される２つの留部とを備える。
【０００９】
本開示の仕切り棒では、棒部と留部とが、例えば、第１開口部を有するシート部材における第１開口部を介して互いに連結される。これにより、シート部材が収容空間を形成しているときに、その収容空間が仕切り棒によって２つの空間に分離される。
【００１０】
本開示の背負い鞄は、一対の肩ベルトと、一対の肩ベルトと連結された本体部とを備える。本体部は、背面板と、背面板とともに収容空間を形成する収容部と、収容空間を仕切る仕切り棒とを有する。収容部は、一対の側面板、正面板および底面板を有する。各側面板は、開口部を有する。仕切り棒は、湾曲または屈曲する棒部と、棒部の両端に１つずつ着脱可能に連結された２つの留部とを有する。棒部および留部は、開口部を介して互いに連結されている。
【００１１】
本開示の背負い鞄では、棒部と留部とが、側面板の開口部を介して互いに連結される。これにより、収容空間が、仕切り棒によって、背面板側の空間と正面板側の空間とに分離される。
【００１２】
本開示の仕切り棒および背負い鞄において、留部を、仕切り棒が側面板から脱落するのを妨げる形状および大きさとしてもよい。そのような構成として、例えば、留部の横幅を、側面板の開口部の直径（具体的には内径）よりも大きくすることが挙げられる。
【００１３】
また、本開示の仕切り棒および背負い鞄において、棒部の両端を、それぞれ、当該棒部が開口部を介して側面板から突出するのを妨げる形状および大きさとしてもよい。そのような構成として、例えば、棒部の両端の横幅を、側面板の開口部の直径（具体的には内径）よりも大きくすることが挙げられる。
【００１４】
本開示の仕切り棒および背負い鞄において、棒部の両端に、それぞれ、留部を嵌め込む第２開口部を設けてもよい。このとき、留部に、第２開口部に嵌め込む第１凸部と、第１凸部を支持すると共に第１凸部の幅よりも広い幅の第１支持部とを設けてもよい。また、本開示の仕切り棒および背負い鞄において、留部に、棒部の端部を嵌め込む第３開口部または凹部を設けてもよい。このとき、棒部の両端に、それぞれ、第３開口部または凹部に嵌め込む第２凸部と、第２凸部を支持すると共に第２凸部の幅よりも広い幅の第２支持部とを設けてもよい。
【考案の効果】
【００１５】
本開示の仕切り棒および背負い鞄によれば、シート部材または収容部が収容空間を形成しているときに、その収容空間を仕切り棒によって２つの空間に分離するようにしたので、物品が、歩行時に、収容空間内で大きく揺れるのを抑えることができる。その結果、容積増大に起因する体感重量の増大を抑えることができる。
【００１６】
また、本開示の仕切り棒および背負い鞄において、留部を、仕切り棒が側面板から脱落するのを妨げる形状および大きさとした場合には、例えば、物品が、歩行時に、収容空間内で揺動した勢いなどで、仕切り棒が側面板から脱落し、体感重量が突如、大きくなるのを防ぐことができる。また、本開示の仕切り棒および背負い鞄において、棒部の両端を、それぞれ、当該棒部が開口部を介して側面板から突出するのを妨げる形状および大きさとした場合には、例えば、何かの拍子に、仕切り棒が背負い鞄から突き出る虞を低減することができる。
【図面の簡単な説明】
【００１７】
【図１】本開示の一実施の形態に係るランドセルの斜視構成の一例を表す図である。
【図２】主収容部の収容空間が外部から見えるよう、かぶせ部の一部を省略したときの、ランドセルの斜視構成の一例を表す図である。
【図３】仕切り棒の上面構成の一例を表す図である。
【図４】仕切り棒の側面構成の一例を表す図である。
【図５】仕切り棒を構成する棒部と留部との連結方法の一例を表す図である。
【図６】側板部の開口およびその近傍の断面構成の一例を、仕切り棒と共に表す図である。
【図７】主収容部の収容空間が外部から見えるよう、かぶせ部の一部を省略したときの、ランドセルの斜視構成の他の例を表す図である。
【図８】仕切り棒の一変形例を表す図である。
【図９】仕切り棒の他の変形例を表す図である。
【図１０】仕切り棒の他の変形例を表す図である。
【考案を実施するための形態】
【００１８】
以下、本開示の実施の形態について、図面を参照して詳細に説明する。なお、説明は以下の順序で行う。
１．実施の形態
屈曲性の棒部を用いた例
棒部の両端部に留部を嵌め込む例
仕切り棒を底面板から離れて配置した例
１．１  構成
１．２  効果
２．変形例
２．１  第１変形例
仕切り棒を底面板に接して配置した例
２．２  第２変形例
可撓性の棒部を用いた例
２．３  第３変形例
留部に棒部の両端部を嵌め込む例
【００１９】
＜１．実施の形態＞
［１．１  構成］
図１は、本開示の一実施の形態に係るランドセル１の斜視構成の一例を表したものである。ランドセル１は、例えば、本体部１０と、一対の肩ベルト２０と、一対の接続ベルト３０とを備えている。一対の肩ベルト２０と、一対の接続ベルト３０とが、本体部１０に連結されている。本体部１０は、例えば、背面板１１と、背面板１１に固定された主収容部１２と、主収容部１２に縫着された従収容部１３と、従収容部１３に縫着された従収容部１４とを有している。なお、必要に応じて、従収容部１３や従収容部１４を省略することが可能である。本体部１０は、例えば、さらに、背面板１１に固定された固定部１５およびかぶせ部１６を有している。
【００２０】
図２は、主収容部１２の収容空間１２Ａ（後述）が外部から見えるよう、かぶせ部１６の一部を省略したときの、ランドセル１の斜視構成の一例を表したものである。主収容部１２は、背面板１１とともに、上端に開口を有する箱体を構成している。主収容部１２は、背面板１１とともに、教科書や副教材などを収容可能な空隙（具体的には収容空間１２Ａ）を形成している。背面板１１は、使用者の背中への当たりを柔らかくするものであり、例えば、クッション材を含む板状の形状となっている。
【００２１】
主収容部１２は、例えば、背面板１１とともに収容空間１２Ａを四方から囲む一対の側面板１７および正面板１８を有しており、さらに、収容空間１２Ａの底を塞ぐ底面板１９を有している。つまり、主収容部１２は、一対の側面板１７、正面板１８および底面板１９を有している。一対の側面板１７は、収容空間１２Ａを介して、ランドセル１の横幅方向に互いに対向配置されている。側面板１７、正面板１８および底面板１９は、それぞれ、シート部材で構成されている。一対の側面板１７および底面板１９は、例えば、Ｕ字型に折り曲げた１枚の帯状基材のうち、幅方向の端縁を外側に折り曲げた上で、背面板１１に縫い合わせることにより形成されている。一対の側面板１７および底面板１９と、背面板１１とを互いに縫い合わせた部分は、例えば、図２に示したように、外部に突出した縫い代２１となっている。主収容部１２は、例えば、図２に示したように、縫い代２１を補強する補強部２２を有していてもよい。正面板１８は、収容空間１２Ａを介して背面板１１と互いに対向配置されている。正面板１８は、例えば、一対の側面板１７および底面板１９からなるＵ字型の部材の端縁に縫い合わされている。
【００２２】
各側面板１７は、後述する仕切り棒４０を挿通する開口部１７Ａを有している。各側面板１７の開口部１７Ａは、互いに対向配置されている。各側面板１７において、開口部１７Ａは、例えば、底面板１９から所定の距離だけ離れた箇所に配置されており、例えば、側面板１７の２本の対角線が互いに交わる箇所またはその近傍に配置されている。各側面板１７において、開口部１７Ａの数は、１つであってもよいし、２つ以上であってもよい。各側面板１７における開口部１７Ａの数が２つ以上となっている場合、各開口部１７Ａは、例えば、側面板１７の高さ方向（例えば、図２のＺ軸と平行な方向）に並んで配置されている。開口部１７Ａは、例えば、仕切り棒４０の断面形状に対応した形状となっており、例えば、円形状となっている。開口部１７Ａの直径（具体的には内径）は、後述の凸部４２Ａの横幅と同じかまたはそれよりも広くなっており、かつ後述の凸部４２Ｂの横幅よりも狭くなっている。
【００２３】
主収容部１２は、例えば、図２に示したように、当該主収容部１２の開口形状を補強する補強部２３を有していてもよい。補強部２３は、主収容部１２の上端に沿って形成されている。従収容部１３は、主収容部１２の収容空間より小さな収容空間を有している。従収容部１３は、例えば、主収容部１２の正面板１８とともに、上端に開口を有する箱体を構成している。従収容部１４は、従収容部１３の収容空間より小さな収容空間を有している。従収容部１４は、例えば、チャックなどの開閉構造を上面に有している。
【００２４】
かぶせ部１６は、主収容部１２、従収容部１３および従収容部１４を覆うものであり、例えば、主収容部１２および従収容部１３の開口を塞ぐようになっている。かぶせ部１６の一端は、例えば、背面板１１の上端に縫着するなどして取り付けられている。かぶせ部１６の他端は、係合板（図示せず）を介して、底面板１９に設けられた固定部（図示せず）に係脱自在に取り付けられている。固定部１５は、肩ベルト２０の一端を本体部１０に固定するものであり、背面板１１の上端に設けられている。
【００２５】
肩ベルト２０は、ランドセル１を背中に背負うためのものであり、帯状の形状となっている。肩ベルト２０の一端は、上述したように固定部１５に固定されており、肩ベルト２０の他端は、接続ベルト３０を介して、底面板１９に設けられた固定部に固定されている。そのため、一対の肩ベルト２０を両肩に掛けることにより、ランドセル１を背中に背負うことが可能である。
【００２６】
次に、主収容部１２の更なる特徴について説明する。主収容部１２は、例えば、図２に示したように、収容空間１２Ａを仕切る仕切り棒４０を有している。図３は、仕切り棒４０の上面構成の一例を表したものである。図４は、仕切り棒４０の側面構成の一例を表したものである。仕切り棒４０は、収容空間１２Ａを、背面板１２側の空間と、正面板１８側の空間とに仕切るものである。仕切り棒４０は、例えば、屈曲する棒部４１と、棒部４１の両端に１つずつ着脱可能に連結された２つの留部４２とを有している。
【００２７】
棒部４１は、棒状の形状となっており、例えば、扁平な帯状の形状となっている。棒部４１が扁平な帯状の形状となっている場合、扁平な帯状の形状の上面は、底面板１８と平行となっていてもよいし、底面板１８と交差もしくは直交していてもよい。また、仕切り棒４０は、主収容部１２に固定されていてもよいし、棒部４１の中心軸を中心として回転可能に配置されていてもよい。棒部４１は、例えば、円柱形状、または、角柱形状となっていてもよい。棒部４１は、例えば、２つの棒部４３が回動可能に連結されたものである。各棒部４３では、一端が、他の棒部４３と連結される連結部４４となっており、他端が、留部４２と連結される連結部４５となっている。つまり、棒部４１の両端が、それぞれ、連結部４５となっており、棒部４１の中央部分が連結部４４となっている。
【００２８】
連結部４４は、例えば、櫛歯形状となっており、一方の連結部４４の櫛歯と、他方の連結部４４の櫛歯の部分とが互いに回動可能な状態で嵌合するよう構成されている。つまり、棒部４１は、連結部４４において屈曲するようになっている。棒部４０の両端（具体的には２つの連結部４５）は、それぞれ、棒部４０と留部４２とを、側面板１７の開口部１７Ａを介して互いに連結したときに、棒部４０が開口部１７Ａを介して側面板１７（またはシート部材）から突出するのを妨げる形状および大きさとなっている。具体的には、棒部４０の両端（具体的には２つの連結部４５）の横幅は、開口部１７Ａの直径（具体的には内径）よりも大きくなっている。
【００２９】
棒部４０の両端（具体的には２つの連結部４５）は、それぞれ、例えば、後述の凸部４２Ａを嵌め込む開口部４５Ａを有するとともに、開口部４５Ａを端部に有する筒状の部分に開口部４５Ｂを有する。開口部４５Ａは、凸部４２Ａを挿通可能に構成されており、開口部４５Ａの直径（具体的には内径）が、凸部４２Ａの横幅よりも大きくなっている。開口部４５Ｂは、凸部４２Ｃを挿通可能に構成されており、開口部４５Ｂの直径（具体的には内径）は、凸部４２Ｃの横幅よりも大きくなっている。開口部４５Ｂは、例えば、棒部４３の延在方向に延在する帯状の形状となっている。
【００３０】
留部４２は、棒部４１と留部４２とを、側面板１７の開口部１７Ａを介して互いに連結したときに、当該仕切り棒４０が側面板１７（またはシート部材）から脱落するのを妨げる形状および大きさとなっている。具体的には、留部４２（具体的には後述の支持部４２Ｂ）の横幅が、開口部１７Ａの直径よりも大きくなっている。留部４２は、例えば、図５に示したように、開口部４５Ａに嵌め込む凸部４２Ａと、凸部４２Ａを支持すると共に凸部４２Ａの幅よりも広い幅の支持部４２Ｂと、留部４２を棒部４１（具体的には開口部４５Ｂ）に引っ掛けて止める凸部４２Ｃとを有している。支持部４２Ｂは、例えば、凸部４２Ａの一端に連結されている。凸部４２Ｃは、例えば、凸部４２Ａの周面に形成されている。なお、図５は、棒部４１と留部４２との連結方法の一例を表したものである。
【００３１】
図６は、側板部１７の開口部１７Ａおよびその近傍の断面構成の一例を、仕切り棒４０と共に表したものである。支持部４２Ｂと、連結部４５（または棒部４１の端部）との間に、側板部１７が配置されている。そして、例えば、支持部４２Ｂの外縁と、開口部４５Ａの外縁とによって、側板部１７が挟まれている。なお、支持部４２Ｂの外縁と側板部１７とが互いに密着していてもよいし、支持部４２Ｂの外縁と側板部１７との間に隙間が存在していてもよい。同様に、開口部４５Ａの外縁と側板部１７とが互いに密着していてもよいし、開口部４５Ａの外縁と側板部１７との間に隙間が存在していてもよい。
【００３２】
[１．２  効果]
次に、本実施の形態のランドセル１の効果について説明する。
【００３３】
本実施の形態のランドセル１では、棒部４１と留部４２とが、側面板１７の開口部１７Ａを介して互いに連結される。これにより、収容空間１２Ａが、仕切り棒４０によって、背面板１７側の空間と正面板１８側の空間とに分離されるので、教科書や副教材などが、歩行時に、収容空間１２Ａ内で大きく揺れるのを抑えることができる。その結果、容積増大に起因する体感重量の増大を抑えることができる。
【００３４】
ところで、棒部４１は、収容空間１２Ａ内の横幅とほぼ同じ長さとなっている。そのため、棒部４１が屈曲も湾曲もしない剛性の高い棒で構成されている場合、棒部４１を収容空間１２Ａ内に入れたときに、棒部４１が背面板１７などにひっかかり易いので、仕切り棒４０の、側面板１７への取り付けを行うことが容易ではない。一方、本実施の形態のランドセル１では、棒部４１が連結部４４において屈曲するようになっている。これにより、棒部４１が屈曲も湾曲もしない剛性の高い棒で構成されている場合と比べて、仕切り棒４０の、側面板１７への取り付けを楽に行うことができる。
【００３５】
また、本実施の形態のランドセル１では、留部４２は、棒部４１と留部４２とを、側面板１７の開口部１７Ａを介して互いに連結したときに、当該仕切り棒４０が側面板１７（またはシート部材）から脱落するのを妨げる形状および大きさとなっている。これにより、例えば、教科書や副教材などが、歩行時に、収容空間１２Ａ内で揺動した勢いなどで、仕切り棒４０が側面板１７から脱落し、体感重量が突如、大きくなるのを防ぐことができる。
【００３６】
また、本実施の形態のランドセル１では、棒部４１の両端（具体的には２つの連結部４５）が、それぞれ、棒部４１が開口部１７Ａを介して側面板１７から突出するのを妨げる形状および大きさとなっている。これにより、例えば、何かの拍子に、仕切り棒４０がランドセル１から突き出る虞を低減することができる。
【００３７】
＜２．変形例＞
[２．１  第１変形例]
図７は、第１変形例に係るランドセル１の斜視構成の一例を表したものである。なお、図７は、主収容部１２の収容空間１２Ａが外部から見えるよう、かぶせ部１６の一部を省略したときの、本変形例のランドセル１の斜視構成の一例を表したものである。上記実施の形態では、仕切り棒４０が底面板１８から離れて配置されていた。本変形例では、例えば、図７に示したように、上記実施の形態のランドセル１において、仕切り棒４０が底面板１８に接して配置されている。棒部４１が扁平な帯状の形状となっている場合、扁平な帯状の形状の上面は、底面板１８と平行となっていてもよいし、底面板１８と交差もしくは直交していてもよい。
【００３８】
[２．２  第２変形例]
上記実施の形態およびその変形例（第１変形例）では、棒部４１は連結部４４において屈曲性を有していた。しかし、本変形例では、例えば、図８に示したように、上記実施の形態およびその変形例（第１変形例）のランドセル１において、棒部４１の代わりに、可撓性を有する棒部（具体的には可撓性棒部４６）が設けられていてもよい。可撓性棒部４６は、例えば、外部からの力により湾曲するようになっており、外部からの力がなくなると元の形状（例えば真っ直ぐの形状）に戻るようになっている。これにより、棒部４１が屈曲も湾曲もしない剛性の高い棒で構成されている場合と比べて、仕切り棒４０の、側面板１７への取り付けを楽に行うことができる。
【００３９】
[２．３  第３変形例]
上記実施の形態およびその変形例（第１変形例、第２変形例）では、留部４２が棒部４１の両端部に嵌め込まれていた。本変形例では、例えば、図９、図１０に示したように、上記実施の形態およびその変形例（第１変形例、第２変形例）のランドセル１において、連結部４５の代わりに連結部４７が設けられ、さらに、留部４２の代わりに留部４８が設けられている。留部４８は、棒部４１の端部を嵌め込む開口部４８Ａもしくは凹部４８Ｂを有している。棒部４１の両端（すわなち２つの連結部４７）は、それぞれ、開口部４８Ａもしくは凹部４８Ｂに嵌め込む凸部４７Ａと、凸部４７Ａを支持すると共に凸部４７Ａの幅よりも広い幅の支持部４７Ｂとを有している。支持部４７Ｂは、例えば、凸部４７Ａの一端に連結されている。ここで、凸部４７Ａがオスネジである場合、開口部４８Ａおよび凹部４８Ｂはメスネジとなっている。
【００４０】
以上、実施の形態およびその変形例を挙げて本開示を説明したが、本開示は上記実施の形態等に限定されるものではなく、種々変形が可能である。例えば、実施の形態およびその変形例では、仕切り棒４０をランドセル１に適用することが例示されていた。しかし、仕切り棒４０をリュックサック等の背負い鞄に適用することは、もちろん可能である。
【符号の説明】
【００４１】
１…ランドセル、１０…本体部、１１…背面板、１２…主収容部、１２Ａ…収容空間、１３，１４…従収容部、１５…固定部、１６…かぶせ部、１７…側面板、１７Ａ，４５Ａ，４５Ｂ，４８Ａ…開口部、１８…正面板、１９…底面板、２０…肩ベルト、２１…縫い代、２２，２３…補強部、４０…仕切り棒、４１，４３…棒部、４２，４８…留部、４２Ａ，４２Ｃ，４７Ａ…凸部、４２Ｂ，４７Ｂ…支持部、４４，４５，４７…連結部、４６…可撓性棒部、４８Ｂ…凹部。
【図１】
0003186155.tif 000003
【図２】
0003186155.tif 000004
【図３】
0003186155.tif 000005
【図４】
0003186155.tif 000006
【図５】
0003186155.tif 000007
【図６】
0003186155.tif 000008
【図７】
0003186155.tif 000009
【図８】
0003186155.tif 000010
【図９】
0003186155.tif 000011
【図１０】
0003186155.tif 000012